(57)【要約】【課題】高収縮で貼付作業も容易なタックシュリンクラベルを提供する。【解決手段】熱収縮フィルムをロール状に巻いてなる原反１２が、その長手方向と直角方向に延伸され、その延伸したフィルムの裏面に粘着剤が塗布され、所定のラベル形状に切り取られる。ラベル本体１８の延伸した方向ａが、長尺の剥離紙１４の長手方向に対して平行になるようにして、ラベル本体１８が剥離紙１４に貼り付けられている。【選択図】図１
2007094247.tif 000002
【特許請求の範囲】
【請求項１】
熱収縮フィルムをロール状に巻いてなる原反が、その長手方向と直角の幅方向に延伸され、その延伸したフィルムの裏面に粘着剤が塗布され、所定のラベル形状に切り取られたタックシュリンクラベルにおいて、このラベル本体の前記延伸した方向が、長尺の剥離紙の長手方向に対して平行になるようにして前記ラベル本体が前記剥離紙に貼り付けられていることを特徴とするタックシュリンクラベル。
【請求項２】
前記ラベル本体の延伸方向である横方向の１００℃における収縮率が６０％以上あり、１００℃における縦方向の収縮率が１５％以下である請求項１記載のタックシュリンクラベル。
【発明の詳細な説明】
【技術分野】
【０００１】
この発明は、ポリスチレンフィルム（ＯＰＳ）やポリエチレンテレフタレート（ＰＥＴ）等の熱収縮フィルムの裏面に粘着剤が塗布され、容器の形状に沿って容器周面を収縮包装するタックシュリンクラベルに関する。
【背景技術】
【０００２】
従来、例えば図３に示すような点眼薬等の液体を入れる小形の容器１は、液体を収容する容器本体２と、容器本体２に取り付けられたキャップ３を有している。そして使用前の包装状態では、容器１にタックシュリンクラベル４が取り付けられ、キャップ３ともに収縮包装されている。このタックシュリンクラベル４は、容器本体２とキャップ３の境目に横ミシン線５が形成され、横ミシン線５を境に、容器本体２を覆うラベル部６と、キャップ３を覆う切離部７に区分されている。切離部７は、キャップ３を開封する際に切り離されるもので、粘着性がなく、ラベル部６は裏面に粘着剤が塗布され容器本体２に粘着している。
【０００３】
この従来のタックシュリンクラベル４は、熱収縮フィルムをその長手方向に延伸したいわゆる縦収縮フィルムであり、製膜する際の延伸張力により、フィルムの両側縁部が不安定になるネッキングが発生する。そのため、両側縁部のフィルムの厚さが、安定した中央部分より厚く製膜され、フィルム片側または両側に弛みや厚みムラが発生し、全体として安定した製膜が難しいと言う問題があった。また、フィルムに弛みや厚みムラがあると、インクの受理性を向上させるアンカーコート加工や、貼り合わせるための粘着層の形成が安定してできない。そのため、縦収縮フィルムの延伸率が横収縮フィルムに比較して低く、一般に縦収縮フィルムでは１００℃で５０％程度の収縮率が安定的に供給できる限界であった。
【０００４】
この縦収縮フィルムは、延伸した状態で裏面に粘着剤が塗布され、表面に印刷等が施されてラベルが形成され、所定形状に打ち抜いて、延伸した方向に沿って長尺の剥離紙にそのラベルを貼付し、ロール状に巻回されていた。
【特許文献１】特開平５−３０９７３２号公報
【特許文献２】特開平７−１１４３４１号公報
【発明の開示】
【発明が解決しようとする課題】
【０００５】
しかし、従来の熱収縮フィルムをその長手方向に延伸する方法では、１００℃での収縮率が５０％から、せいぜい５５％程度しか得られないという問題があった。特に近年タックシュリンクラベルにおいては、容器形状の多様性等から高収縮のラベルが求められている。
【０００６】
一方、熱収縮フィルムをその長手方向に対して直角の幅方向に延伸した場合は、１００℃での熱収縮率が８０％程度のものが得られる。しかし、この場合熱収縮フィルムの延伸前の原反のロールの長手方向に対して直角方向に高収縮となるため、長尺の剥離紙にラベルを貼付した際に、剥離紙の長手方向に対して直角方向が高収縮の方向となる。従って、自動機でタックシュリンクラベルを容器に貼り付けようとする場合に、容器に対する巻き付け方向を、剥離紙の幅方向にしなければならず、その場合、容器の中心軸の向きと剥離紙の長手方向が一致してしまうものであった。従って、本願発明の図２に示すように、ラベルの剥離とともに、容器の胴体にラベルを巻き付けるという工程が取れないという欠点があった。また、医薬品等では、熱収縮の温度を上げることが好ましくなく、できるだけ低温で高収縮のタックシュリンクラベルが好ましいものであった。
【０００７】
この発明は、上記従来の技術の問題点に鑑みてなされたものであり、高収縮で貼付作業も容易なタックシュリンクラベルを提供することを目的とする。
【課題を解決するための手段】
【０００８】
この発明は、熱収縮フィルムをロール状に巻いてなる原反が、その長手方向と直角の幅方向に延伸され、その延伸したフィルムの裏面に粘着剤が塗布され、所定のラベル形状に切り取られたタックシュリンクラベルであって、このラベル本体の前記延伸した方向が、長尺の剥離紙の長手方向に対して平行になるようにして前記ラベル本体が前記剥離紙に貼り付けられているタックシュリンクラベルである。
【０００９】
前記ラベル本体は、その延伸方向である横方向の１００℃における収縮率が６０％以上、例えば６０％〜１００％、好ましくは７０％〜８０％あり、１００℃における縦方向の収縮率が１５％以下である。
【発明の効果】
【００１０】
この発明のタックシュリンクラベルは、高収縮で連続的に自動機による貼付作業も容易であり、このタックシュリンクラベルを用いて包装する商品の包装効率を、大幅に高めることができる。
【発明を実施するための最良の形態】
【００１１】
以下、この発明の実施形態について図面に基づいて説明する。図１、図２は、この発明の一実施形態を示すもので、この実施形態のタックシュリンクラベル１０は、一軸延伸された透明な熱収縮の樹脂フィルム、例えばポリスチレンフィルムやポリエチレンテレフタレート等で作られている。延伸方向は、フィルム原反１２の長手方向に対して直角の幅方向ａであり、原反１２からの延伸割合は、幅方向ａに３００％程度である。そして、延伸後のタックシュリンクラベル１０は、１００℃で幅方向である方向ａの収縮率が６０％〜１００％、好ましくは７０％〜８０％のフィルムである。そして、方向ａと直交する縦方向の１００℃における収縮率が１５％以下、好ましくは５％〜１０％のものである。
【００１２】
このタックシュリンクラベル１０の製造方法は、原反１２が製造工程で幅方向ａに約３倍に延伸され、裏面に粘着剤が塗布される。さらに、ラベル本体１８の所定範囲には、内容物の名称や説明の印刷等が施される。この後、所定のラベル本体１８の大きさに打ち抜かれて切り取られる。
【００１３】
ラベル本体１８は、延伸後の原反１２の裏面に粘着剤が塗布された後、原反１２の長手方向に、一旦図示しない剥離紙に貼付されて巻き取られる。そしてその後、図１に示す剥離紙１４に載せ替えるものである。このとき、原反１２の長手方向に対して、剥離紙１４の長手方向が直交する位置に配置され、元の剥離紙上でのタックシュリンクラベル１２の収縮方向に対して、剥離紙１４上での収縮方向が９０°入れ替えられて載せられる。これにより、剥離紙１４の長手方向にラベル本体１８の高収縮方向である方向ａが位置するように並べられる。そして、剥離紙１４は、タックシュリンクラベル１０が整列された状態で、ロール状に巻き取られる。
【００１４】
このタックシュリンクラベル１０は、例えば図２に示すように、医薬品を収容した小形の容器１６の側面全体に巻き回されて筒状に取り付けられる。また、図３に示すような形状の容器に巻き付けられ、開封時にキャップ部と容器本体部を分離するミシン目を形成しても良い。
【００１５】
次に、このタックシュリンクラベル１０の使用方法について説明する。この実施形態のタックシュリンクラベル１０は、剥離紙１４に貼付された状態で、容器１６の周面に巻回される方向と剥離紙１４の長手方向とが、各ラベルの高収縮の方向ａに一致している。従って、剥離紙１４上に貼付されて並べられた各タックシュリンクラベル１０は、図２に示すように、剥離紙１４が折り返されて、タックシュリンクラベル１０が剥離紙１４から剥離するとともに、剥離紙１４の折返し部に近接して位置した容器１６の側面に、高収縮の方向を周方向として、巻き付けられる。
【００１６】
この実施形態のタックシュリンクラベル１０によれば、容器１６に貼り付けられるタックシュリンクラベル１０の高収縮の方向が、剥離紙１４の長手方向と平行であり、貼り付ける容器１６の側面に対して連続的に貼付することができる。これにより、容器１６への貼付作業が効率化され、作業効率が向上する。
【００１７】
なお、この発明のタックシュリンクラベルは実施形態に限定されるものではなく、熱収縮フィルムの種類や収縮率は適宜変更可能である。
【図面の簡単な説明】
【００１８】
【図１】この発明の一実施形態のタックシュリンクラベルの製造工程における延伸状態を示す概略平面図である。
【図２】この実施形態のタックシュリンクラベルを容器に貼付する状態を示す側面図である。
【図３】従来のタックシュリンクラベルを容器を包装した状態の斜視図である。
【符号の説明】
【００１９】
１０  タックシュリンクラベル
１２  原反
１４  剥離紙
１６  容器
１８  ラベル本体
【図１】
2007094247.tif 000003
【図２】
2007094247.tif 000004
【図３】
2007094247.tif 000005